(57)【要約】【課題】  従来より男性の小便の排泄に適した洋式便器を提供する。【解決手段】  洋式便器１０は、人が腰を掛けるための便座１１と、人の排泄物を受けるための排泄物受部１２とを有し、排泄物受部１２は、便座１１に腰を掛けた人の前方向に対応する矢印１０ａで示す方向側に部分的に配置されて男性の小便を受けるための男性用小便受部１２ａを有し、男性用小便受部１２ａは、前方向に対応する矢印１０ａで示す方向に突出していることを特徴とする。【選択図】図１
2008138495.tif 000002
【特許請求の範囲】
【請求項１】
人が腰を掛けるための腰掛部と、前記人の排泄物を受けるための排泄物受部とを有し、
前記排泄物受部は、前記腰掛部に腰を掛けた前記人の前方向に対応する方向側に部分的に配置されて男性の小便を受けるための男性用小便受部を有し、
前記男性用小便受部は、前記前方向に対応する方向に突出していることを特徴とする洋式便器。
【発明の詳細な説明】
【技術分野】
【０００１】  本発明は、腰を掛けて排泄を行うことができる洋式便器に関する。
【背景技術】
【０００２】  従来、腰を掛けて排泄を行うことができる洋式便器が知られている（例えば、特許文献１参照。）。
【特許文献１】  特開２００６−９５２５２号公報
【発明の開示】
【発明が解決しようとする課題】
【０００３】  しかしながら、従来の洋式便器においては、男性が洋式便器に向かって立って小便の排泄を行う場合、小便の排泄の初期や終期などの小便の勢いが弱く小便が殆ど前方向に飛ばずに落下するときに、小便が洋式便器の縁に落下して洋式便器から垂れて便所の床を汚したり、小便が洋式便器から外れて落下して便所の床を汚したりすることがある。そのため、従来の洋式便器においては、男性が洋式便器に向かって立って小便の排泄を行う場合、小便による便所の床の汚れを頻繁に掃除しなければならない。【０００４】  小便による便所の床の汚れを頻繁に掃除することが大変であるため、現在、男性の３割が洋式便器に腰を掛けて小便の排泄を行っているとも言われている。しかしながら、男性の陰茎が男性の体の前方向に突出しているために、従来の洋式便器においては、男性が洋式便器に腰を掛けて小便の排泄を行う場合、不注意などによって陰茎が洋式便器に接触してしまうことがあり、不衛生である。【０００５】  即ち、従来の洋式便器は、男性の小便の排泄に適していないという問題がある。【０００６】  本発明は、従来の問題を解決するためになされたもので、従来より男性の小便の排泄に適した洋式便器を提供することを目的とする。
【課題を解決するための手段】
【０００７】  本発明の洋式便器は、人が腰を掛けるための腰掛部と、前記人の排泄物を受けるための排泄物受部とを有し、前記排泄物受部は、前記腰掛部に腰を掛けた前記人の前方向に対応する方向側に部分的に配置されて男性の小便を受けるための男性用小便受部を有し、前記男性用小便受部は、前記前方向に対応する方向に突出していることを特徴とする。【０００８】  この構成により、本発明の洋式便器は、男性が洋式便器に向かって立って小便の排泄を行う場合に、小便の排泄の初期や終期などの小便の勢いが弱く小便が殆ど前方向に飛ばずに落下するときであっても、殆ど前方向に飛ばずに落下した小便を男性用小便受部が受けるので、小便が洋式便器の縁に落下して洋式便器から垂れて便所の床を汚したり、小便が洋式便器から外れて落下して便所の床を汚したりする可能性を従来より減らすことができる。また、本発明の洋式便器は、男性が腰を掛けて小便の排泄を行う場合に、男性の陰茎の前方に男性用小便受部が存在するので、不注意などによって陰茎が洋式便器に接触する可能性を従来より減らすことができる。したがって、本発明の洋式便器は、従来より男性の小便の排泄に適している。
【発明の効果】
【０００９】  本発明によれば、従来より男性の小便の排泄に適した洋式便器を提供することができる。
【発明を実施するための最良の形態】
【００１０】  以下、本発明の一実施の形態について、図面を用いて説明する。【００１１】  図１及び図２に示すように、本実施の形態に係る洋式便器１０は、人が腰を掛けるための腰掛部としての便座１１と、人の排泄物を受けるための排泄物受部１２とを有している。【００１２】  排泄物受部１２は、便座１１に腰を掛けた人の前方向に対応する矢印１０ａで示す方向側に部分的に配置されて男性２０（図３及び図４参照。）の小便２１（図３及び図４参照。）を受けるための男性用小便受部１２ａを有している。【００１３】  男性用小便受部１２ａは、矢印１０ａで示す方向に突出している。【００１４】  図３に示すように、男性２０が洋式便器１０に向かって立って小便２１の排泄を行う場合、洋式便器１０は、小便２１の排泄の初期や終期などの小便２１の勢いが弱く小便２１が殆ど前方向に飛ばずに落下するときであっても、殆ど前方向に飛ばずに落下した小便２１を男性用小便受部１２ａによって受けることができる。【００１５】  図４に示すように、男性２０が便座１１に腰を掛けて小便２１の排泄を行う場合、洋式便器１０は、男性２０の陰茎２０ａから前方向に飛び出した小便２１を男性用小便受部１２ａによって受けることができる。【００１６】  以上に説明したように、洋式便器１０は、男性２０が洋式便器１０に向かって立って小便２１の排泄を行う場合に、小便２１の排泄の初期や終期などの小便２１の勢いが弱く小便２１が殆ど前方向に飛ばずに落下するときであっても、殆ど前方向に飛ばずに落下した小便２１を男性用小便受部１２ａが受けるので、小便２１が洋式便器１０の縁に落下して洋式便器１０から垂れて便所の床３０を汚したり、小便２１が洋式便器１０から外れて落下して便所の床３０を汚したりする可能性を従来より減らすことができる。したがって、洋式便器１０は、従来より衛生的であり、便所の床３０の掃除を容易化することができる。【００１７】  また、洋式便器１０は、男性２０が腰を掛けて小便２１の排泄を行う場合に、男性２０の陰茎２０ａの前方に男性用小便受部１２ａが存在するので、不注意などによって陰茎２０ａが洋式便器１０に接触する可能性を従来より減らすことができる。したがって、洋式便器１０は、従来より衛生的である。【００１８】  洋式便器１０は、上述したように、男性２０が洋式便器１０に向かって立って小便２１の排泄を行う場合にも、男性２０が腰を掛けて小便２１の排泄を行う場合にも、従来より改善されており、従来より男性２０の小便２１の排泄に適している。【００１９】  なお、以上においては、男性２０の小便２１の排泄について説明したが、洋式便器１０は、女性が腰を掛けて小便の排泄を行う場合にも、女性の陰部の前方に男性用小便受部１２ａが存在するので、女性にとっても排尿後に体の前方に腕を回して両足の間から陰部を拭き易いというメリットもある。【００２０】  また、洋式便器１０は、人が使用する際に必要なスペースが従来の洋式便器と略同一であるので、従来の洋式便器と取り替えるときに、便所のスペースを拡張するなどの必要がない。したがって、洋式便器１０は、従来の洋式便器と取り替える工事が容易である。
【図面の簡単な説明】
【００２１】
【図１】  （ａ）本発明の一実施の形態に係る洋式便器の上面図であって、便座が倒された状態を示す図  （ｂ）図１（ａ）に示す洋式便器の上面図であって、便座が立てられた状態を示す図
【図２】  （ａ）図１に示す洋式便器の部分的に断面を表した側面図であって、便座が倒された状態を示す図  （ｂ）図１に示す洋式便器の部分的に断面を表した側面図であって、便座が立てられた状態を示す図
【図３】  （ａ）図１に示す洋式便器の上面図であって、男性が洋式便器に向かって立って小便の排泄を行っている状態を示す図  （ｂ）図１に示す洋式便器の部分的に断面を表した側面図であって、男性が洋式便器に向かって立って小便の排泄を行っている状態を示す図
【図４】  （ａ）図１に示す洋式便器の上面図であって、男性が便座に腰を掛けて小便の排泄を行っている状態を示す図  （ｂ）図１に示す洋式便器の部分的に断面を表した側面図であって、男性が便座に腰を掛けて小便の排泄を行っている状態を示す図
【符号の説明】
【００２２】  １０  洋式便器
１１  便座（腰掛部）
１２  排泄物受部
１２ａ  男性用小便受部
２０  男性（人）
２１  小便
【図１】
2008138495.tif 000003
【図２】
2008138495.tif 000004
【図３】
2008138495.tif 000005
【図４】
2008138495.tif 000006